(57)【要約】【課題】過呼吸症候群が発症した患者に対して、二酸化炭素と空気の混合気体を吸引させることにより、持続して使用でき効果的に対処可能な炭酸ガス補充装置を提供すること。【解決手段】第１の実施の形態における炭酸ガス補充装置１では、過換気症候群の発症時に、吸引部１ｂの連結チューブ１ｂ２の一端１ｂ２２を炭酸ガス吐出口１ａ１３に連結し、吸引管１ｂ１の開口側の端部を患者の口に咥えた状態で、押しボタン１ａ１２を押すことにより、即座に患者は混合気体により二酸化炭素を吸引して過換気症候群の症状が解消できる。また、混合気体により二酸化炭素と同時に空気中の酸素をも若干吸い込むため、長時間持続しながら吸引して効果的に対処可能となる。【選択図】  図１
2007159903.tif 000002
【特許請求の範囲】
【請求項１】
過換気症候群が発症した患者に対して、二酸化炭素を吸入して対処する炭酸ガス補充装置において、
二酸化炭素を封入したガスボンベと、
前記ガスボンベから吐出された二酸化炭素を患者に吸入させるためのガス吸入部とを備えたことを特徴とする炭酸ガス補充装置。
【請求項２】
過換気症候群が発症した患者に対して、二酸化炭素を吸入して対処する炭酸ガス補充装置において、
二酸化炭素を発生させるための第１の反応物質を封入したガスケースと、
患者が握ることにより、前記ガスケース内に前記第１の反応物質と反応して二酸化炭素を発生させる第２の反応物質を注入する反応注入部と、
前記ガスケース内で前記第１の反応物質と第２の反応物質が反応して発生した二酸化炭素を患者に吸入させるためのガス吸入部とを備えたことを特徴とする炭酸ガス補充装置。
【請求項３】
過換気症候群が発症した患者に対して、二酸化炭素を吸入して対処する炭酸ガス補充装置において、
二酸化炭素を発生させるための第１の反応物質を封入したガスケースと、
前記ガスケース内に取り付けられた前記第１の反応物質と反応して二酸化炭素を発生させる第２の反応物質が内部に充填されたガス袋と、
前記ガス袋を破砕させる破砕棒と、
前記ガスケース内で前記第１の反応物質と第２の反応物質が反応して発生した二酸化炭素を患者に吸入させるためのガス吸入部とを備えたことを特徴とする炭酸ガス補充装置。
【請求項４】
請求項１乃至３に記載の炭酸ガス補充装置において、
前記ガス吸入部は、外部の空気を取り込んで二酸化炭素と混合させるための空気取込口が設けられていることを特徴とする炭酸ガス補充装置。
【発明の詳細な説明】
【技術分野】
【０００１】
過換気症候群が発症した患者に対して、二酸化炭素を吸入して対処する炭酸ガス補充装置に関する。
【背景技術】
【０００２】
過換気とは、過剰に深呼吸をすることであり、過換気症候群とは、精神的ストレス等の背景を持つ者が、突然呼吸ができないという感覚に襲われ過呼吸、即ち、過換気をしてしまい結果として血中の二酸化炭素濃度が下がり指や口の周りが痺れたように感じ、そして更なる不安となり死ぬのではないかという不安に襲われる。その不安がさらに過換気を起こすこととなりその結果意識喪失まで発展することになる悪循環を形成する症状を引き起こす病気である。この過換気症候群の患者は発作に対し強い恐怖感を抱いている。従来より、このような過換気症候群が発症した患者に対しては、緊急の対処法の一つとして、紙袋を用いた再呼吸法によって、紙袋で患者の口と鼻を覆い吐出した二酸化炭素を再び吸引することで、血中の二酸化炭素濃度を上げるようにする方法がとられていた。
【０００３】
また、患者の精神的不安を抑えて、安定した呼吸ができるようにする抗不安薬の投与による対処法もある。
【０００４】
以下の特許文献１に記載された発明では、酸素が進入しないプラスチックマスクに取っ手を取り付けて二酸化炭素濃度を上げ、アロマテラピーシートにより患者の精神を安定させるようにして過換気症候群の過呼吸発作の症状を和らげるマスクが提案されている。
【０００５】
【特許文献１】特開２００２−３４５９６２号公報
【発明の開示】
【発明が解決しようとする課題】
【０００６】
しかしながら、上記の紙袋を用いた再呼吸法では、患者が女性である場合等において、羞恥心と圧迫感で紙袋で口と鼻を塞ぐ方法をとりにくいという問題があった。また、自己が吐き出した呼気を繰り返し吸い込むため、紙袋内の酸素濃度が徐々に低下していき患者が息苦しくなって呼吸が続けられなくなり、過換気症候群の症状を止められる程の効果を得られないという問題があった。
【０００７】
特許文献１に記載された発明においても、患者が呼吸を行うことが困難な状態では、二酸化炭素を含む呼気を、自己の呼吸によって吐き出すこともできない場合がある。抗不安薬の投与では、抗不安薬の投与の効果が現れるまでに相当の時間がかかり緊急の場合に対処できないという問題があった。
【０００８】
本発明は、以上の問題点に鑑みてなされたものであり、その目的とするところは、過呼吸症候群が発症した患者に対して、二酸化炭素と空気の混合気体を吸引させることにより、持続して使用でき効果的に対処可能な炭酸ガス補充装置を提供することにある。
【課題を解決するための手段】
【０００９】
上記目的を達成するために請求項１に係る発明は、過換気症候群が発症した患者に対して、二酸化炭素を吸入して対処する炭酸ガス補充装置において、
二酸化炭素を封入したガスボンベと、
前記ガスボンベから吐出された二酸化炭素を患者に吸入させるためのガス吸入部とを備えたことを特徴とする。
【００１０】
また、請求項２に係る発明は、過換気症候群が発症した患者に対して、二酸化炭素を吸入して対処する炭酸ガス補充装置において、
二酸化炭素を発生させるための第１の反応物質を封入したガスケースと、
患者が握ることにより、前記ガスケース内に前記第１の反応物質と反応して二酸化炭素を発生させる第２の反応物質を注入する反応注入部と、
前記ガスケース内で前記第１の反応物質と第２の反応物質が反応して発生した二酸化炭素を患者に吸入させるためのガス吸入部とを備えたことを特徴とする。
【００１１】
請求項３に係る発明は、過換気症候群が発症した患者に対して、二酸化炭素を吸入して対処する炭酸ガス補充装置において、
二酸化炭素を発生させるための第１の反応物質を封入したガスケースと、
前記ガスケース内に取り付けられた前記第１の反応物質と反応して二酸化炭素を発生させる第２の反応物質が内部に充填されたガス袋と、
前記ガス袋を破砕させる破砕棒と、
前記ガスケース内で前記第１の反応物質と第２の反応物質が反応して発生した二酸化炭素を患者に吸入させるためのガス吸入部とを備えたことを特徴とする。
【００１２】
請求項４に係る発明は、請求項１乃至３に記載の炭酸ガス補充装置において、
前記ガス吸入部は、外部の空気を取り込んで二酸化炭素と混合させるための空気取込口が設けられていることを特徴とする。
【発明の効果】
【００１３】
本発明に係る炭酸ガス補充装置によれば、過呼吸症候群が発症した患者に対して、二酸化炭素と空気の混合気体を吸引させることにより、持続して使用でき効果的に対処可能となる。
【００１４】
請求項１に係る発明によれば、ガス吸入部により、ガスボンベから吐出された二酸化炭素を患者に吸入させて、患者の血中の二酸化炭素濃度を上げ過換気症候群の症状に効果的に対処できる。
【００１５】
また、請求項２に係る発明によれば、患者が握ることにより、反応注入部ガスケース内に第２の反応物質を注入し第１の反応物質と反応させて二酸化炭素を発生させ、ガス吸入部によって、容易に二酸化炭素を患者に吸入させて血中の二酸化炭素濃度を上げることができ、過換気症候群の症状に効果的に対処できる。
【００１６】
請求項３に係る発明によれば、患者が破砕棒を用いてガス袋を破砕させることにより、ガスケース内で第１の反応物質と第２の反応物質が反応させて二酸化炭素を発生させ、ガス吸入部によって、容易に二酸化炭素を患者に吸入させて血中の二酸化炭素濃度を上げることができ、過換気症候群の症状に効果的に対処できる。
【００１７】
請求項４に係る発明によれば、ガス吸入部において、空気取込口から外部の空気を取り込んで二酸化炭素と混合させて、患者に吸入させることにより、患者は空気を吸い込んで息苦しくなくなり、持続的に二酸化炭素の吸入を行うことができ、より効果的に過換気症候群の症状に対処できる。
【発明を実施するための最良の形態】
【００１８】
（第１の実施の形態）
以下、本発明を実施するための最良の形態について図面に基づいて詳細に説明する。図１は第１の実施の形態における炭酸ガス補充装置１の構成を示す斜視図、図２は炭酸ガス補充装置１の構成を示す側面図である。炭酸ガス補充装置１は、所定の気圧で二酸化炭素を封入した炭酸ガスボンベ１ａと、炭酸ガスボンベ１ａから吐出した二酸化炭素を過換気症候群の過呼吸発作が発症した患者の口や鼻等の呼吸器官に吸引させる吸引部１ｂと、炭酸ガスボンベ１ａの二酸化炭素の吐出部分および吸引部１ｂを内部に収納するキャップ１ｃとを備えている。
【００１９】
炭酸ガスボンベ１ａは、二酸化炭素が所定の気圧で封入された缶体１ａ１と、この缶体１ａ１の上面中央に設けられた押下されることにより二酸化炭素を噴射して吐出するための押しボタン１ａ１２と、二酸化炭素を吐出する炭酸ガス吐出口１ａ１３と、押しボタン１ａ１２の周囲を所定の高さの壁面で取り囲む突出縁１ａ１４とから構成されている。
【００２０】
吸引部１ｂは、二酸化炭素を患者の口や鼻等の呼吸器官に吸引させるための吸引管１ｂ１と、炭酸ガス吐出口１ａ１３から吐出された二酸化炭素の流路を形成する連結チューブ１ｂ２とを備えている。
【００２１】
吸引管１ｂ１は、例えば一般人としての患者が口で十分に余裕を持って咥えることが可能な３ｃｍ〜５ｃｍ等の外径の中空の縦管１ｂ１１の上端面に、天板１ｂ１２が張設されており、上部に外部から内側に空気を取り込むための複数個の空気取入口１ｂ１３が開設されて構成されている。
【００２２】
連結チューブ１ｂ２は、二酸化炭素が内部を流れる流路を形成する所定の内径を有するチューブであり、一端１ｂ２１が吸引管１ｂ１の天板１ｂ１２の中心に接続され、他の一端１ｂ２２が炭酸ガス吐出口１ａ１３に着脱自在に接続されている。
【００２３】
キャップ１ｃは、炭酸ガスボンベ１ａの上面の突出縁１ａ１４を内側に嵌め込むことにより炭酸ガスボンベ１ａに対して着脱可能な突出縁１ａ１４の外径よりも僅かに大きい内径を有する縦管１ｃ１であり、上端面に天板１ｃ２が張設されている。また、内側に吸引部１ｂを収納可能となるように十分な長さを有して構成されている。
【００２４】
続いて、第１の実施の形態における炭酸ガス補充装置１の作用効果について説明する。まず、日常生活等において、過換気症候群の過呼吸発作が突然に発症した患者は、炭酸ガス補充装置１を使用する際に、炭酸ガスボンベ１ａからキャップ１ｃを取り外す。そして、吸引部１ｂの連結チューブ１ｂ２の一端１ｂ２２を炭酸ガス吐出口１ａ１３に連結する。図３に示すように、吸引管１ｂ１の開口側の端部を患者の口に咥えた状態で、押しボタン１ａ１２を押す。
【００２５】
すると、炭酸ガスボンベ１ａ内の二酸化炭素は、その内部での気圧により炭酸ガス吐出口１ａ１３から、吐出されて連結チューブ１ｂ２内を流れ、吸引管１ｂ１内を経て、患者の口に吸引される。このとき、患者が吸引管１ｂ１から呼吸をして吸い込むようにして二酸化炭素を吸引すると、空気取入口１ｂ１３から外部の空気が内部に取り込まれ、この取り込まれた空気と二酸化炭素が混合した混合気体が作られて吸引される。
【００２６】
患者は、混合気体により二酸化炭素を吸引して血中の二酸化炭素濃度が上がり、過呼吸状態が徐々に回復して、過換気症候群の症状が解消される。また、混合気体により二酸化炭素と同時に空気中の酸素をも若干吸い込むため、二酸化炭素のみを吸引し続けて呼吸が苦しくなることが防止されて、長時間持続しながら炭酸ガス補充装置１を用いて吸引を行うことができ、過換気症候群の症状により効果的に対処できる。
【００２７】
このように、本実施の形態における炭酸ガス補充装置１では、過換気症候群の発症時に、吸引部１ｂの連結チューブ１ｂ２の一端１ｂ２２を炭酸ガス吐出口１ａ１３に連結し、吸引管１ｂ１の開口側の端部を患者の口に咥えた状態で、押しボタン１ａ１２を押すことにより、即座に患者は混合気体により二酸化炭素を吸引して過換気症候群の症状が解消できる。また、混合気体により二酸化炭素と同時に空気中の酸素をも若干吸い込むため、長時間持続しながら吸引して効果的に対処可能となる。
【００２８】
（第２の実施の形態）
以下、本発明を実施するための第２の実施の形態について図面に基づいて詳細に説明する。図４は第２の実施の形態における炭酸ガス補充装置２の構成を示す斜視図、図５は炭酸ガス補充装置２の構成を示す断面図である。炭酸ガス補充装置２は、二酸化炭素を化学反応により発生させるための内部空間を有する第２種容器部２ａと、第２種容器部２ａ上部の開口部分を密閉する内キャップ部２ｂと、内キャップ部２ｂを内部に収納する外キャップ部２ｃと、患者が握ることにより第２種容器部２ａ内に化学反応により二酸化炭素を発生させるための反応物質を注入する第２種水溶液部２ｄとを備えている。
【００２９】
第２種容器部２ａは、所定の容積の内部空間を有する缶状の容器本体２ａ１と、容器本体２ａ１の上面に突設された外周ネジを有する排気口２ａ２と、容器本体２ａ１内部の下部に張設され二酸化炭素を化学反応により発生させるための第１の反応物質を収納する収納空間を仕切る仕切板２ａ３と、この仕切板２ａ３により仕切られた収納空間に収納された第１の反応物質としての炭酸水素ナトリウム２ａ４とから構成されている。
【００３０】
容器本体２ａ１の側壁上の一部には、図４、図５に示すように、容器本体２ａ１の外径の範囲内に第２種水溶液部２ｄを収納するためのくぼみ２ａ１１が形成されている。
【００３１】
仕切板２ａ３には、図５におけるＡ断面、Ｂ断面から下方に見た断面図を示す図６（ａ）、（ｂ）に示すように、炭酸水素ナトリウム２ａ４が反応することにより発生した二酸化炭素が上側の内部空間に所定の気圧で充填されるように、多数の透孔２ａ３１が設けられている。炭酸水素ナトリウム２ａ４は、圧縮固形化されたものが仕切板２ａ３により仕切られた収納空間に収納されている。
【００３２】
内キャップ部２ｂは、第２種容器部２ａの排気口２ａ２の外周ネジと螺合する内周ネジを有する短縦筒２ｂ１と、短縦筒２ｂ１の上端面に張設された天板２ｂ２と、天板２ｂ２に開設された容器本体２ａ１内の気体を排気するための排気孔２ｂ３と、排気孔２ｂ３に着脱自在に貼り着けされた気密および防爆用シール２ｂ４とを備えている。
【００３３】
気密および防爆用シール２ｂ４は、排気孔２ｂ３を塞ぐように所定の張着力で貼り着けされることにより、容器本体２ａ１内が所定の気圧以内の場合には、気密性を保って容器本体２ａ１内を密封し内部の気体が漏れることを防止している。また、内部の気体が所定の気圧以上に高まった場合には、剥れて第２種容器部２ａが爆発することを防ぐようになっている。
【００３４】
外キャップ部２ｃは、内キャップ部２ｂを内側に嵌め込むことが可能な内キャップ部２ｂの外径よりも僅かに大きい内径を有し、例えば一般人としての患者が口で十分に余裕を持って咥えることが可能な３ｃｍ〜５ｃｍ等の外径の中空の縦管２ｃ１の上端面に天板２ｃ２が張設されており、上部に外部から内側に空気を取り込むための複数個の空気取入口２ｃ４が開設されて構成されている。
【００３５】
また、天板２ｃ２の中央には、第２種容器部２ａの排気口２ａ２の外周ネジと螺合する内周ネジを有するネジ穴２ｃ３が開けられている。
【００３６】
第２種水溶液部２ｄは、例えば樹脂素材等の一般人としての患者が握ることで表面が撓むある程度の弾力性を有する素材を所定の内部容積をもつ縦長缶状に成形した容器２ｄ１と、この容器２ｄ１内に充填された第１の反応物質と化学反応により二酸化炭素を発生させるための第２の反応物質としてのクエン酸を含む水等の水溶液２ｄ２と、容器２ｄ１の上面に一端が連結された水溶液２ｄ２が内部を流れる流路を形成する所定の内径を有するホース２ｄ３とを備えている。
【００３７】
ホース２ｄ３は、図６（ａ）に示すように、他の一端がくぼみ２ａ１１の外表面上に形成された第２種容器部２ａの容器本体２ａ１内部空間への水溶液２ｄ２の注入口に連結および連通されている。また、容器２ｄ１および第２種容器部２ａの容器本体２ａ１間の距離に対して十分な余裕を持った長さの中途部分は、図６（ｂ）、図７に示すように、くぼみ２ａ１１の外表面上に設けられたホースクリップ２ｄ３１に着脱自在に折り畳まれて挟持されるようになっており、容器本体２ａ１の外径の範囲内に収納されている。
【００３８】
炭酸ガス補充装置２の不使用時にはこのホースクリップ２ｄ３１に挟持されることにより、ホース２ｄ３の中途部分は内部の流路が塞がれて容器２ｄ１内の水溶液２ｄ２が流出しないようになっており、使用時には、ホースクリップ２ｄ３１から中途部分を取り外して内部の流路が広がり、容器本体２ａ１内部空間に連通するようになっている。
【００３９】
そして、第２種水溶液部２ｄは、図４、図５、図６（ａ）、（ｂ）に示すように、容器本体２ａ１の外径の範囲内に収まるように第２種容器部２ａのくぼみ２ａ１１に収納しベルト２ｄ４によって容器２ｄ１の周囲を介して固定することにより、炭酸ガス補充装置２の大きさをコンパクトにまとめることができ携帯に便利な状態とすることができる。
【００４０】
続いて、第２の実施の形態における炭酸ガス補充装置２の作用効果について説明する。まず、日常生活等において、過換気症候群の過呼吸発作が突然に発症した患者は、炭酸ガス補充装置２を使用する際に、外キャップ部２ｃを取り外し、内キャップ部２ｂをネジ回して取り外す。そして、外キャップ部２ｃを逆さに返してネジ穴２ｃ３を第２種容器部２ａの排気口２ａ２の外周ネジと螺合させて取り付ける。また、ホースクリップ２ｄ３１からホース２ｄ３の中途部分を取り外して容器本体２ａ１内部空間に連通可能とする。
【００４１】
図８、図９に示すように、外キャップ部２ｃの開口された端部を患者の口に咥えた状態で、患者が第２種水溶液部２ｄを握り、水溶液２ｄ２を第２種水溶液部２ｄ内部から流出させる。
【００４２】
すると、第２種水溶液部２ｄ内部から流出した水溶液２ｄ２は、患者が握ることで第２種水溶液部２ｄ内部空間が収縮して流出した勢いでホース２ｄ３内を流れて容器本体２ａ１への注入口から内部空間に注入される。容器本体２ａ１内に注入された水溶液２ｄ２は、容器本体２ａ１内壁および仕切板２ａ３の透孔２ａ３１を流れ落ちて、炭酸水素ナトリウム２ａ４と接触し、化学反応により二酸化炭素が発生する。
【００４３】
この発生した二酸化炭素は、容器本体２ａ１内部に充満し、充満した内部空間の気圧で排気口２ａ２から噴出して、外キャップ部２ｃ内を経て、患者の口に吸引される。このとき、患者が外キャップ部２ｃから呼吸をして吸い込むようにして二酸化炭素を吸引すると、空気取入口２ｃ４から外部の空気が内部に取り込まれ、この取り込まれた空気と二酸化炭素が混合した混合気体が作られて吸引される。
【００４４】
患者は、混合気体により二酸化炭素を吸引して血中の二酸化炭素濃度が上がり、過呼吸状態が徐々に回復して、過換気症候群の症状が解消される。また、混合気体により二酸化炭素と同時に空気中の酸素をも若干吸い込むため、二酸化炭素のみを吸引し続けて呼吸が苦しくなることが防止されて、長時間持続しながら炭酸ガス補充装置２を用いて吸引を行うことができ、過換気症候群の症状により効果的に対処できる。
【００４５】
炭酸ガス補充装置２を使用した後は、患者は、外キャップ部２ｃをネジ回して排気口２ａ２から取り外す。そして、内キャップ部２ｂを排気口２ａ２の外周ネジと螺合させて取り付けた状態で、気密および防爆用シール２ｂ４を剥し容器本体２ａ１内部の二酸化炭素を排気可能として気圧を調整する。
【００４６】
このように、本実施の形態における炭酸ガス補充装置２では、過換気症候群の発症時に、外キャップ部２ｃを逆さに返してネジ穴２ｃ３を第２種容器部２ａの排気口２ａ２の外周ネジと螺合させて取り付け、ホースクリップ２ｄ３１からホース２ｄ３の中途部分を取り外してから、外キャップ部２ｃの開口側の端部を患者の口に咥えた状態で第２種水溶液部２ｄを握ることにより、化学反応によって二酸化炭素が発生して排気口２ａ２から噴出し、即座に患者は混合気体により二酸化炭素を吸引して過換気症候群の症状が解消できる。また、混合気体により二酸化炭素と同時に空気中の酸素をも若干吸い込むため、長時間持続しながら吸引して効果的に対処可能となる。
【００４７】
（第３の実施の形態）
以下、本発明を実施するための第３の実施の形態について図面に基づいて詳細に説明する。図１０は第３の実施の形態における炭酸ガス補充装置３の構成を示す斜視図、図１１は炭酸ガス補充装置３の構成を示す断面図である。炭酸ガス補充装置３は、二酸化炭素を化学反応により発生させるための内部空間を有する第３種容器部３ａと、化学反応により二酸化炭素を発生させるための反応物質が充填された第３種水溶液部３ｂと、第３種容器部３ａ上部の開口部分を密閉する第３種内キャップ部３ｃと、第３種内キャップ部３ｃを内部に収納する第３種外キャップ部３ｄとを備えている。
【００４８】
第３種容器部３ａは、所定の容積の内部空間を有する缶状の容器本体３ａ１と、容器本体３ａ１の上面に突設された外周ネジを有する排気口３ａ２と、容器本体３ａ１内部の下部に張設され二酸化炭素を化学反応により発生させるための第１の反応物質を収納する収納空間を仕切る仕切板３ａ３と、この仕切板３ａ３により仕切られた収納空間に収納された第１の反応物質としての炭酸水素ナトリウム３ａ４とから構成されている。
【００４９】
仕切板３ａ３には、図１１におけるＢ断面から下方に見た断面図を示す図１２（ｂ）に示すように、炭酸水素ナトリウム３ａ４が反応することにより発生した二酸化炭素が上側の内部空間に所定の気圧で充填されるように、多数の透孔３ａ３１が設けられている。炭酸水素ナトリウム３ａ４は、圧縮固形化されたものが仕切板３ａ３により仕切られた収納空間に収納されている。
【００５０】
第３種水溶液部３ｂは、容器本体３ａ１内部の上部寄りの箇所に炭酸水素ナトリウム３ａ４と化学反応により二酸化炭素を発生させるための第２の反応物質を収納する収納空間を形成する水溶液収納室３ｂ１と、この水溶液収納室３ｂ１に収納された第２の反応物質としての水溶液部３ｂ２とから構成されている。
【００５１】
水溶液収納室３ｂ１は、図１１、図１２（ａ）に示すように、図容器本体３ａ１の内部空間から水溶液収納室３ｂ１を仕切る上下の収納板３ｂ１１から構成されている。これらの上下の収納板３ｂ１１は、表面上に群設された多数の透孔３ｂ１ｓと、中央部分に開けられた後述する破砕棒３ｃ４が通過するための通過穴３ｂ１ｔとを有している。
【００５２】
水溶液部３ｂ２は、水溶液収納室３ｂ１に収納されるビニール袋等の袋３ｂ２１と、袋３ｂ２１内に充填された第１の反応物質と化学反応により二酸化炭素を発生させるための第２の反応物質としてのクエン酸を含む水等の水溶液３ｂ２２とから構成されている。
【００５３】
第３種内キャップ部３ｃは、第３種容器部３ａの排気口３ａ２の外周ネジと螺合する内周ネジを有する短縦筒３ｃ１と、短縦筒３ｃ１の上端面に張設された天板３ｃ２と、天板３ｃ２に開設された容器本体３ａ１内の気体を排気するための排気孔３ｃ３と、排気孔３ｃ３を通過して降下自在の状態で支持された破砕棒３ｃ４とを備えている。
【００５４】
破砕棒３ｃ４は、少なくとも第３種容器部３ａの排気口３ａ２から第３種水溶液部３ｂまでの距離の長さを有する縦棒３ｃ４１と、縦棒３ｃ４１の下端に取り付けられた袋３ｂ２１を破砕するための破砕用尖先３ｃ４２と、縦棒３ｃ４１の上端に取り付けられた取っ手３ｃ４３と、縦棒３ｃ４１の中途部分に設けられた排気孔３ｃ３に嵌め込まれて破砕棒３ｃ４の降下を防止して支持されるための膨大部３ｃ４４とから構成されている。
【００５５】
患者が破砕棒３ｃ４の取っ手３ｃ４３をもって下方に押すと、膨大部３ｃ４４が排気孔３ｃ３から外れて破砕棒３ｃ４全体が降下し、破砕用尖先３ｃ４２が上側の収納板３ｂ１１の通過穴３ｂ１ｔを通過し袋３ｂ２１に達して破砕し、水溶液３ｂ２２を水溶液収納室３ｂ１から流出させるようになっている。
【００５６】
外キャップ部３ｄは、内キャップ部３ｃを内側に嵌め込むことが可能な内キャップ部３ｃの外径よりも僅かに大きい内径を有し、例えば一般人としての患者が口で十分に余裕を持って咥えることが可能な３ｃｍ〜５ｃｍ等の外径の中空の縦管３ｄ１の上端面に天板３ｄ２が張設されており、上部に外部から内側に空気を取り込むための複数個の空気取入口３ｄ４が開設されて構成されている。
【００５７】
また、天板３ｄ２の中央には、第３種容器部３ａの排気口３ａ２の外周ネジと螺合する内周ネジを有するネジ穴３ｄ３が開けられている。
【００５８】
続いて、第３の実施の形態における炭酸ガス補充装置３の作用効果について説明する。まず、日常生活等において、過換気症候群の過呼吸発作が突然に発症した患者は、炭酸ガス補充装置３を使用する際に、外キャップ部３ｄを取り外す。そして、図１３に示すように、内キャップ部３ｃの取っ手３ｃ４３をもって下方に押し、破砕棒３ｃ４全体を降下させて、破砕用尖先３ｃ４２により水溶液収納室３ｂ１の袋３ｂ２１を破砕させる。袋３ｂ２１内の水溶液３ｂ２２を水溶液収納室３ｂ１から流出させる。
【００５９】
すると、水溶液収納室３ｂ１から流出した水溶液３ｂ２２は、第３種容器部３ａの容器本体３ａ１内壁および仕切板３ａ３の透孔３ａ３１を流れ落ちて、炭酸水素ナトリウム３ａ４と接触し、化学反応により二酸化炭素が発生する。この発生した二酸化炭素は、容器本体３ａ１内部に充満し、充満した内部空間の気圧で排気口３ａ２から噴出する。
【００６０】
この状態で、図１４、図１５に示すように、内キャップ部２ｂをネジ回して取り外し、外キャップ部３ｄを逆さに返してネジ穴３ｄ３を第３種容器部３ａの排気口３ａ２の外周ネジと螺合させて取り付け、患者は、外キャップ部３ｄの開口された端部を患者の口に咥える。
【００６１】
排気口３ａ２から噴出した二酸化炭素は、外キャップ部３ｄ内を経て患者の口に吸引される。このとき、患者が外キャップ部３ｄから呼吸をして吸い込むようにして二酸化炭素を吸引すると、空気取入口３ｄ４から外部の空気が内部に取り込まれ、この取り込まれた空気と二酸化炭素が混合した混合気体が作られて吸引される。
【００６２】
患者は、混合気体により二酸化炭素を吸引して血中の二酸化炭素濃度が上がり、過呼吸状態が徐々に回復して、過換気症候群の症状が解消される。また、混合気体により二酸化炭素と同時に空気中の酸素をも若干吸い込むため、二酸化炭素のみを吸引し続けて呼吸が苦しくなることが防止されて、長時間持続しながら炭酸ガス補充装置３を用いて吸引を行うことができ、過換気症候群の症状により効果的に対処できる。
【００６３】
このように、本実施の形態における炭酸ガス補充装置３では、過換気症候群の発症時に、内キャップ部３ｃの取っ手３ｃ４３をもって下方に押し、破砕棒３ｃ４全体を降下させて袋３ｂ２１を破砕させ、袋３ｂ２１内の水溶液３ｂ２２を第３種容器部３ａの容器本体３ａ１内壁および仕切板３ａ３の透孔３ａ３１を流れ落ちて、炭酸水素ナトリウム３ａ４と接触し、化学反応により二酸化炭素が発生させる。この状態で、外キャップ部３ｄを第３種容器部３ａの排気口３ａ２に取り付け、外キャップ部３ｄの開口された端部を患者の口に咥えることで、即座に患者は混合気体により二酸化炭素を吸引して過換気症候群の症状が解消できる。また、混合気体により二酸化炭素と同時に空気中の酸素をも若干吸い込むため、長時間持続しながら吸引して効果的に対処可能となる。
【００６４】
（他の実施の形態）
上述の第３の実施の形態において、以下のような炭酸ガス補充装置３１の構成とすることも可能である。即ち、図１６に示すように、第３種内キャップ部３ｃの破砕棒３ｃ４を、第３種水溶液部３ｂと同様の第３種水溶液部３１ｂの下側の収納板３１ｂ１１の通過穴３１ｂ１ｔまで予め通過した状態で膨大部３ｃ４４により支持させておく。また、図１６に示すように、破砕棒３ｃ４の破砕用尖先３ｃ４２の後部には後方に鋭角に成形された矢尻部分が設けられている。
【００６５】
そして、第３種水溶液部３１ｂの水溶液収納室３１ｂ１には、中央を貫通する破砕棒３ｃ４の縦棒３ｃ４１を挟むようにして２つの水溶液３ｂ２２を充填した袋３１ｂ２１を収納しておく。他の構成は、炭酸ガス補充装置３と同様であり説明を省略する。
【００６６】
炭酸ガス補充装置３１を使用する際には、図１７に示すように、内キャップ部３ｃの取っ手３ｃ４３をもって上方に引き上げ、破砕棒３ｃ４全体を降下させて、破砕用尖先３ｃ４２の矢尻部分により水溶液収納室３１ｂ１の袋３１ｂ２１を破砕させる。袋３ｂ２１内の水溶液３ｂ２２を水溶液収納室３ｂ１から流出させる。
【００６７】
すると、水溶液収納室３ｂ１から流出した水溶液３ｂ２２と炭酸水素ナトリウム３ａ４とにより二酸化炭素が発生する。この状態で、図１８に示すように、外キャップ部３ｄを第３種容器部３ａの排気口３ａ２に取り付け、患者は、外キャップ部３ｄの開口された端部を患者の口に咥える。患者は、混合気体により二酸化炭素を吸引して血中の二酸化炭素濃度が上がり、過呼吸状態が徐々に回復して、過換気症候群の症状が解消され。第３の実施の形態と同様の効果を得ることができる。
【００６８】
また、上述の第２の実施の形態において、内キャップ部２ｂを予め水溶液２ｄ２が充填されたスポイトを排気孔２ｂ３の部分に取り付けられていても良い。このような構成により、炭酸ガス補充装置２を使用する際には、このスポイトから水溶液２ｄ２を滴下して、容器本体２ａ１内壁および仕切板２ａ３の透孔２ａ３１を流れ落ちて、炭酸水素ナトリウム２ａ４と接触して二酸化炭素を発生させることができる。
【００６９】
上述の実施の形態において、化学反応により二酸化炭素を発生させるための第１の反応物質として炭酸水素ナトリウムと、第２の反応物質としてクエン酸を含む水等の水溶液を用いたが、患者が誤って吸い込んでしまうことがあっても有害でなく人体に無害なものであれば、二酸化炭素を化学反応により発生させることが可能な他の物質を第１および第２の反応物質として用いても良い。
【図面の簡単な説明】
【００７０】
【図１】第１の実施の形態における炭酸ガス補充装置１の構成を示す斜視図である。
【図２】第１の実施の形態における炭酸ガス補充装置１の構成を示す側面図である。
【図３】第１の実施の形態における炭酸ガス補充装置１の使用時の状態を示す説明図である。
【図４】第２の実施の形態における炭酸ガス補充装置２の構成を示す斜視図である。
【図５】第２の実施の形態における炭酸ガス補充装置２の構成を示す側面図である。
【図６】第２の実施の形態における炭酸ガス補充装置２の図５のＡ断面およびＢ断面から下方に見た断面図である。
【図７】第２の実施の形態における炭酸ガス補充装置２の図６のＣ断面から側面を見た断面図である。
【図８】第２の実施の形態における炭酸ガス補充装置２の使用時の状態を示す説明図である。
【図９】第２の実施の形態における炭酸ガス補充装置２の使用時の状態を示す説明図である。
【図１０】第３の実施の形態における炭酸ガス補充装置３の構成を示す斜視図である。
【図１１】第３の実施の形態における炭酸ガス補充装置３の構成を示す断面図である。
【図１２】第３の実施の形態における炭酸ガス補充装置３の図１１のＡ断面およびＢ断面から下方に見た断面図である。
【図１３】第３の実施の形態における炭酸ガス補充装置３の使用時の状態を示す説明図である。
【図１４】第３の実施の形態における炭酸ガス補充装置３の使用時の状態を示す説明図である。
【図１５】第３の実施の形態における炭酸ガス補充装置３の使用時の状態を示す説明図である。
【図１６】他の実施の形態における炭酸ガス補充装置３１の構成を示す断面図である。
【図１７】他の実施の形態における炭酸ガス補充装置３１の使用時の状態を示す説明図である。
【図１８】他の実施の形態における炭酸ガス補充装置３１の使用時の状態を示す説明図である。
【符号の説明】
【００７１】
１、２、３、３１  炭酸ガス補充装置
１ａ  炭酸ガスボンベ
１ｂ  吸引部
１ｃ  キャップ
２ａ  第２種容器部
２ｂ  内キャップ部
２ｃ  外キャップ部
２ｄ  第２種水溶液部
３ａ  第３種容器部
３ｂ  第３種水溶液部
３ｃ  第３種内キャップ部
３ｄ  第３種外キャップ部
【図１】
2007159903.tif 000003
【図２】
2007159903.tif 000004
【図３】
2007159903.tif 000005
【図４】
2007159903.tif 000006
【図５】
2007159903.tif 000007
【図６】
2007159903.tif 000008
【図７】
2007159903.tif 000009
【図８】
2007159903.tif 000010
【図９】
2007159903.tif 000011
【図１０】
2007159903.tif 000012
【図１１】
2007159903.tif 000013
【図１２】
2007159903.tif 000014
【図１３】
2007159903.tif 000015
【図１４】
2007159903.tif 000016
【図１５】
2007159903.tif 000017
【図１６】
2007159903.tif 000018
【図１７】
2007159903.tif 000019
【図１８】
2007159903.tif 000020